(57)【要約】【課題】ユーザの携帯端末を持つ角度に関わらず、前方を撮像することができる携帯端末を提供する。【解決手段】携帯端末１０は、画像を撮像する撮像手段３と、撮像手段３で撮像した画像を表示する表示装置２と、を有する。表示装置２は、携帯端末１０の筐体１の第１の面１ａに配置されている。撮像手段３は、携帯端末１０の筐体１の、第１の面１ａとは反対側の第２の面１ｂに配置され、回動軸１１によって、筐体１に対して自重により相対的に回動可能に支持されている。【選択図】図２
2013255030.tif 000002
【特許請求の範囲】
【請求項１】
画像を撮像する撮像手段と、前記撮像手段で撮像した画像を表示する表示装置と、を有する携帯端末において、
前記表示装置は、前記携帯端末の筐体の第１の面に配置されており、
前記撮像手段は、前記携帯端末の筐体の、前記第１の面とは反対側の第２の面に配置され、回動軸によって、前記筐体に対して自重により相対的に回動可能に支持されている、携帯端末。
【請求項２】
前記表示装置に表示される表示画像の上下と鉛直方向の上下が一致する状態において、
前記撮像手段の重心が前記回転軸よりも下方の部分に位置している、請求項１に記載の携帯端末。
【請求項３】
前記撮像手段は、前記下方の部分に重りを含む、請求項２に記載の携帯端末。
【請求項４】
前記表示装置に表示される表示画像の上下と鉛直方向の上下が一致する状態において、
前記回動軸が、前記第２の面に沿った方向であり、前記撮像素子の中心からずれている、請求項１から３のいずれか１項に記載の携帯端末。
【請求項５】
前記撮像素子の回動を規制する状態と、該規制を解除する状態と、に切替可能なストッパが設けられている、請求項１から４のいずれか１項に記載の携帯端末。
【発明の詳細な説明】
【技術分野】
【０００１】
本発明は、撮像手段を有する携帯端末に関する。
【背景技術】
【０００２】
近年、携帯電話機やスマートフォンなどの携帯端末は、音声通話の他に、インターネット上のＷｅｂ画面の閲覧やゲームなどのアプリケーションなどにも利用されている。携帯端末は、移動中も通信可能であるという特徴を有することから、ユーザは歩行中にＷｅｂ画面を閲覧するということがある。
【０００３】
しかし、歩行中に携帯端末の画面をみていると、進行方向への注意が散漫となり、ユーザは誤って他の歩行者、電柱、あるいは建造物などにぶつかる場合がある。
【０００４】
歩行中でもユーザに進行方向へ注意を向けさせるための手段として、携帯端末に内蔵された撮像手段、例えばＣＣＤカメラなどを利用して前方を撮像し、表示画面に表示する方法が考案されている。
【０００５】
関連技術の一例の前方を撮像する携帯端末（特許文献１参照）を、図５を参照して説明する。図５は、関連技術の一例の携帯端末の要部、即ち撮像素子や反射ミラーの形成された領域を示す拡大断面図である。
【０００６】
携帯端末１０１は、撮像素子１０２および反射ミラー１０３を有する。反射ミラー１０３は、ヒンジ１０３ａによって回動可能に携帯端末１０１に取り付けられている。これにより、反射ミラー１０３は、図５（ａ）に示すように、携帯端末本体（筐体）に重なっている収納位置と、図５（ｂ）に示すような、撮像素子１０２の光軸Ｒ１０１上まで回動させた展開位置と、の間で移動可能である。なお、反射ミラー１０３の撮像素子１０２の光軸Ｒ１０１に対する交差角度は、展開位置において反射ミラー１０３の一端と当接する携帯端末１０１の傾斜面Ｒの角度によって規定される。
【０００７】
反射ミラー１０３は、例えば、ヒンジ１０３ａに設けられたバネ（図示せず）によって、図５（ａ）に示す収納位置から図５（ｂ）に示す展開位置に向けて付勢されていれば良い。
【０００８】
以上のような構成の携帯端末の作用について説明する。反射ミラー１０３が、図５（ａ）に示す収納位置においては、撮像素子１０２の光軸Ｒ１０１は、撮像素子１０２に対して正面方向に向いている。即ち、この状態において撮像素子１０２を用いて撮像を行うと、撮像素子の正面（図５（ａ）、（ｂ）では上方向）の画像が記録される。
【０００９】
一方、図５（ａ）に示す収納位置から反射ミラー１０３を回転させ、反射ミラー１０３を図５（ｂ）に示す展開位置にすると、反射ミラー１０３の表面Ｐは、撮像素子１０２の光軸Ｒ１０１と所定の角度で交差する位置に置かれる。これにより、撮像素子１０２の光軸Ｒ１０１は、反射ミラー１０３の表面Ｐで所定の角度で屈折（反射）させられる。このため、撮像素子１０２には、外光Ｒ１０２が反射ミラー１０３に入射し、表面Ｐで反射されて反射光Ｒ１０３として撮像素子１０２に入射する。これにより、携帯端末１０１の撮像素子１０２は、正面方向以外の画像を撮影することができる。
【先行技術文献】
【特許文献】
【００１０】
【特許文献１】特開２０１０−１０９７１１号公報
【特許文献２】特開２０１１−１９０９４号公報
【発明の概要】
【発明が解決しようとする課題】
【００１１】
しかしながら、関連技術の前方を撮像する携帯端末において、反射ミラー１０３の角度が傾斜角Ｒの角度によって規定されるため、ユーザの携帯端末を持つ角度が変わると前方を撮影できない場合がある。
【００１２】
特許文献２には、携帯電話機に備えられたカメラでの撮影時における水平補正制御について開示されている。しかしながら、カメラが向いている向きと同じ方向に設けられた軸を中心にカメラが回動するため、ユーザが携帯電話機を鉛直方向に対して角度を有した状態で持っているときに、前方を撮影することができない。
【００１３】
本発明の目的は、ユーザの携帯端末を持つ角度によって、前方を撮像することができなくなる、といった課題を解決する携帯端末を提供することにある。
【課題を解決するための手段】
【００１４】
本発明の携帯端末は、画像を撮像する撮像手段と、撮像手段で撮像した画像を表示する表示装置と、を有する。表示装置は、携帯端末の筐体の第１の面に配置されている。撮像手段は、携帯端末の筐体の、第１の面とは反対側の第２の面に配置され、回動軸によって、筐体に対して自重により相対的に回動可能に支持されている。
【発明の効果】
【００１５】
本発明によれば、ユーザの携帯端末を持つ角度に関わらず、前方を撮像することができる。
【図面の簡単な説明】
【００１６】
【図１】本発明に係る携帯端末の一実施形態における概略斜視図であり、（ａ）は表面側、（ｂ）は裏面側である。
【図２】撮像素子の周辺部分の拡大図であり、（ａ）は正面図、（ｂ）は（ａ）のＸＸ断面の図である。
【図３】撮像素子の姿勢を示す概略図であって、（ａ）は携帯端末が鉛直の状態、（ｂ）は携帯端末が鉛直から傾いた状態である。
【図４】本発明に係る携帯端末の他の実施形態の概略図であり、撮像素子の周辺部分の拡大概略図であって、（ａ）は正面図、（ｂ）は（ａ）のＹＹ断面の図である。
【図５】関連技術の一例の携帯端末の画像素子付近の拡大概略図である。
【発明を実施するための形態】
【００１７】
以下に、添付の図面に基づき、本発明の実施の形態の詳細について説明する。なお、同一の機能を有する構成には添付図面中、同一の番号を付与し、その説明を省略することがある。
【００１８】
図１は、本発明に係る携帯端末の一実施形態における概略斜視図であり、（ａ）は表面側、（ｂ）は裏面側である。携帯端末１０は筐体１、表示装置２、撮像素子（撮像手段）３から構成される。表示装置２は表示面２ａを有し、その表示面２ａに後述する画像データを表示する機能を有している。また、表示面２ａは、筐体１の表面（第１の面）１ａから露出している。表示装置２は、例えば、モノクロまたはカラー表示可能な液晶ディスプレイなどが挙げられるが、特に液晶ディスプレイに限定されるものではない。撮像素子３はＣＣＤイメージセンサなどから構成され、レンズを介して外部から入射される光を画像データとして携帯端末の不図示の処理装置に取り込む機能を有する。また、撮像素子３は筐体１の表面とは反対側の裏面（第２の面）１ｂに位置する。
【００１９】
図２は、撮像素子３の周辺部分の拡大図であり、（ａ）は正面図、（ｂ）は（ａ）のＸＸ断面の図を示す。撮像素子３は、筐体１に対して相対的に回動可能なように、回転軸１１によって筐体１に固定されており、回転軸１１を軸として自由に回転できる構造になっている。筐体１の表面１ａと裏面１ｂを鉛直方向と平行になるように携帯端末１０を位置させた場合であって、表示装置２に表示される表示画像（例えば文字や写真）の上下と鉛直方向の上下が一致する状態において、回動軸１１は、鉛直方向とは直交する方向に延び、また、表面１ａと裏面１ｂとを通る方向の断面において、撮像素子３の中心を通るように位置している。
【００２０】
また、上記状態において、撮像素子３の、回転軸１１よりも鉛直方向で下方に重り１２が設けられている。重り１２を含めた撮像素子３の、回転軸１１より鉛直方向で下方の部分Ｂの重さが、撮像素子３の、回転軸１１よりも鉛直方向で上方の部分Ａの重さよりも大きくなるように、重り１２の重さを調節する必要がある。
【００２１】
このような構成にすると、重力の作用により、撮像素子３は、常に鉛直方向に平行となる。ユーザが図３の進行方向Ｄに携帯端末を保持しながら進むとき、筐体１の、表面１ａと裏面１ｂとが鉛直となるようにユーザが携帯端末１０を保持する場合は、撮像素子３の光軸Ｒ１は水平であり、撮像素子３は水平方向の対象物Ｃの画像を撮像できる（図３（ａ）参照）。ユーザが携帯端末１０の表面１ａを、鉛直方向から裏面１ｂ側に傾けて保持する場合、撮像素子３は、自重と重り１２の重さにより筐体１に対して相対的に回動することになり、撮像素子３は、鉛直方向に平行な状態を保つ。したがって、ユーザが携帯端末１０を持つ角度に関わらず、撮像素子３の光軸Ｒ１は水平であるため、撮総素子３は水平方向の対象物Ｃの画像を撮像することができる（図３（ｂ）参照）。
【００２２】
なお、撮像素子３を回動しないように固定するための可動式のストッパ１３を筐体１に設けてもよい。ストッパ１３を固定位置と解除位置との間を移動させることで、撮像素子３の固定、あるいは固定解除が行われる。ストッパ１３の構造は、撮像素子３の固定あるいは固定解除が可能であれば、構造は特に限定されない。
【００２３】
本発明に係る携帯端末の他の実施形態を、図４を用いて説明する。なお、上述の実施形態と同様な構成については説明を省略する。本実施形態において、上述の実施形態と異なる点は、回転軸１１の位置である。なお、本実施形態においては、重り１２を撮像素子３に設けていない。
【００２４】
図４は、本発明に係る携帯端末の他の実施形態の概略図であって、撮像素子３の周辺部分の拡大概略図である。図４（ａ）は、正面図、図４（ｂ）は、図４（ａ）のＹＹ断面の図である。
【００２５】
本有実施形態では、筐体１の表面１ａと裏面１ｂを鉛直方向と平行になるように携帯端末１０を位置させた場合に、回転軸１１の位置が撮像素子３の中心より鉛直上側になるようにしている。このようにすることで、回転軸１１よりも上方の部分Ｄに比べ、回転軸１１よりも下方の部分Ｅの方が重くなる。したがって、上述の実施形態で得られた効果と同様の効果を得ることができる。さらに、本実施形態の場合、上述の実施形態のような重り１２を必要としないため、携帯端末１の小型化が可能になるという効果も得られる。
【００２６】
なお、本発明で重要なことは、筐体１の表面１ａと裏面１ｂを鉛直方向と平行になるように携帯端末１０を位置させた場合であって、表示装置２に表示される表示画像（例えば文字や写真）の上下と鉛直方向の上下が一致する状態において、撮像素子３の回動軸１１よりも下方の部分が上方の部分に比べて重いこと、つまり重心が回動軸１１より下方にあることが重要である。したがって、２つの実施形態を併用してもかまわず、回動軸１１を中心にして密度の異なる材質の材料で撮像素子３を構成しても構わない。
【符号の説明】
【００２７】
１  筐体
１ａ  表面（第１の面）
１ｂ  裏面（第２の面）
２  表示装置
２ａ  表示面
３  撮像素子（撮像手段）
１０  携帯端末
１１  回動軸
１２  重り
１３  ストッパ
【図１】
2013255030.tif 000003
【図２】
2013255030.tif 000004
【図３】
2013255030.tif 000005
【図４】
2013255030.tif 000006
【図５】
2013255030.tif 000007